【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
赤、緑及び青の原色のサブピクセルを含むピクセルから成るディスプレイ装置を使用してカラー画像を生成する方法において、
ａ．前記ディスプレイ装置の原色を変更することにより、前記ディスプレイ装置の色域を変更することによって、基準レベルに対して前記画像の輝度を増大させる工程と、
ｂ．前記画像の前記輝度を低減させるため、前記ディスプレイ装置への電力を減少させる工程と、
ｃ．出力画像ピクセルデータを生成するため、三次元のルックアップテーブルを使用して画像ピクセルデータを変更することによって、おおよそ前記基準レベルまで前記画像の色を回復する工程と、
ｄ．前記カラー画像を生成するため、前記出力画像ピクセルデータを前記ディスプレイ装置に伝送する工程と
を含んでおり、
前記ディスプレイ装置への電力を減少させる工程は、前記基準レベルより明るいレベルまで前記画像の前記輝度を低減させることを特徴とする方法。
【請求項２】
請求項１に記載の方法において、前記色域を低減させて前記画像の前記輝度を増大させるため、前記画像に白を追加する工程をさらに含むことを特徴とする方法。
【請求項３】
請求項２に記載の方法において、白は、白のサブピクセルによって追加されることを特徴とする方法。
【請求項４】
請求項２に記載の方法において、白は、前記原色のサブピクセルの少なくとも１つに追加されることを特徴とする方法。
【請求項５】
請求項２に記載の方法において、白は、前記３つの原色のサブピクセルの２つに追加されることを特徴とする方法。
【請求項６】
請求項２に記載の方法において、白は、前記３つの原色のサブピクセルに追加されることを特徴とする方法。
【請求項７】
請求項６に記載の方法において、白は、異なる量で前記３つの原色のサブピクセルに追加されることを特徴とする方法。
【請求項８】
請求項６に記載の方法において、白は、彩度の増大と共に前記白の追加量が減少するアルゴリズムに従って順応可能に追加されることを特徴とする方法。
【請求項９】
請求項８に記載の方法において、彩度の増大と共に前記白の追加量が減少する前記アルゴリズムは、彩度の増大に伴う白の減少を定義するガウス関数を含むことを特徴とする方法。
【請求項１０】
請求項８に記載の方法において、前記アルゴリズムは、前記三次元のルックアップテーブルの値を決定するために使用されることを特徴とする方法。
【請求項１１】
請求項８に記載の方法において、複数の画像が、前記ディスプレイ装置を使用して生成され、前記アルゴリズムは、各画像ピクセルに追加する白の量と、各画像ピクセルに対する電力の減少量とを決定する工程を含むことを特徴とする方法。
【請求項１２】
請求項８に記載の方法において、前記アルゴリズムは、個々のピクセルの各々への前記白の追加量を決定する工程を含むことを特徴とする方法。
【請求項１３】
請求項１２に記載の方法において、前記アルゴリズムは、個々の赤、緑及び青の原色のサブピクセルの各々への前記白の追加量を決定する工程を含むことを特徴とする方法。
【請求項１４】
請求項２に記載の方法において、白は、ピクセル露光時間の一部の間に前記サブピクセルに追加されることを特徴とする方法。
【請求項１５】
請求項２に記載の方法において、白は、前記赤、緑及び青の原色のサブピクセルを提供する第１のソースとは別の第２のソースから追加されることを特徴とする方法。
【請求項１６】
請求項１５に記載の方法において、前記ディスプレイ装置は、前記第１のソースとしての第１のバックライトと、前記第２のソースとしての第２のバックライトとを備えるＬＣＤディスプレイ装置であることを特徴とする方法。
【請求項１７】
請求項２に記載の方法において、前記ディスプレイ装置は、ＬＣＤディスプレイ装置であり、前記白は、白のサブピクセルによって各ピクセルに追加されることを特徴とする方法。
【請求項１８】
請求項１に記載の方法において、前記ディスプレイ装置は、ＬＣＤディスプレイ装置、ＬＥＤディスプレイ装置、ＯＬＥＤディスプレイ装置、プラズマディスプレイ装置及びＤＭＤプロジェクタの１つであることを特徴とする方法。
【請求項１９】
請求項１に記載の方法において、前記ディスプレイ装置への電力を減少させる工程は、おおよそ前記基準レベルまで前記画像の前記輝度を低減させることを特徴とする方法。
【請求項２０】
請求項１に記載の方法において、記憶色は、前記カラー画像に保持されることを特徴とする方法。
【請求項２１】
請求項１に記載の方法において、前記画像の前記色を回復する工程は、前記ディスプレイ装置の白色点を色標準の白色点に補正する工程を含むことを特徴とする方法。
【請求項２２】
請求項１に記載の方法において、前記画像の前記色を回復する前記工程は、ＩＰＴ均一色相色空間で実行されることを特徴とする方法。
【請求項２３】
請求項１に記載の方法において、前記三次元のルックアップテーブルの前記値は、人間の視覚系の視覚モデルを使用することによって決定されることを特徴とする方法。
【請求項２４】
請求項２３に記載の方法において、前記三次元のルックアップテーブルの前記値は、前記人間の視覚系の色彩順応を使用することによって決定されることを特徴とする方法。
【請求項２５】
赤、緑及び青の原色のサブピクセルを含むピクセルから成るディスプレイ装置を使用してカラー画像を生成する方法において、
ａ．前記画像ピクセルに白を追加することによって、基準レベルに対して前記画像の輝度を増大させ、彩度を低減させる工程と、
ｂ．前記画像の前記輝度を低減させるため、前記ディスプレイ装置への電力を減少させる工程と、
ｃ．出力画像ピクセルデータを生成するため、三次元のルックアップテーブルを使用して画像ピクセルデータを変更することによって、おおよそ前記基準レベルまで前記画像の前記彩度を回復する工程と、
ｄ．前記カラー画像を生成するため、前記出力画像ピクセルデータを前記ディスプレイ装置に伝送する工程と
を含んでおり、
前記ディスプレイ装置への電力を減少させる工程は、前記基準レベルより明るいレベルまで前記画像の前記輝度を低減させることを特徴とする方法。
【請求項２６】
請求項２５に記載の方法において、白は、白のサブピクセルによって追加されることを特徴とする方法。
【請求項２７】
請求項２５に記載の方法において、白は、前記原色のサブピクセルの少なくとも１つに追加されることを特徴とする方法。
【請求項２８】
請求項２５に記載の方法において、白は、前記３つの原色のサブピクセルの２つに追加されることを特徴とする方法。
【請求項２９】
請求項２５に記載の方法において、白は、前記３つの原色のサブピクセルに追加されることを特徴とする方法。
【請求項３０】
請求項２９に記載の方法において、白は、異なる量で前記３つの原色のサブピクセルに追加されることを特徴とする方法。
【請求項３１】
請求項２９に記載の方法において、白は、彩度の増大と共に前記白の追加量が減少するアルゴリズムに従って順応可能に追加されることを特徴とする方法。
【請求項３２】
請求項３１に記載の方法において、彩度の増大と共に前記白の追加量が減少する前記アルゴリズムは、彩度の増大に伴う白の減少を定義するガウス関数を含むことを特徴とする方法。
【請求項３３】
請求項３１に記載の方法において、前記アルゴリズムは、前記三次元のルックアップテーブルの値を決定するために使用されることを特徴とする方法。
【請求項３４】
請求項３１に記載の方法において、複数の画像は、前記ディスプレイ装置を使用して生成され、前記アルゴリズムは、各画像ピクセルに追加する白の量と、各画像に対する電力の減少量とを決定する工程を含むことを特徴とする方法。
【請求項３５】
請求項３１に記載の方法において、前記アルゴリズムは、個々のピクセルの各々への前記白の追加量を決定する工程を含むことを特徴とする方法。
【請求項３６】
請求項３５に記載の方法において、前記アルゴリズムは、個々の赤、緑及び青の原色のサブピクセルの各々への前記白の追加量を決定する工程を含むことを特徴とする方法。
【請求項３７】
請求項２５に記載の方法において、白は、ピクセル露光時間の一部の間に前記サブピクセルに追加されることを特徴とする方法。
【請求項３８】
請求項２５に記載の方法において、白は、前記赤、緑及び青の原色のサブピクセルを提供する第１のソースとは別の第２のソースから追加されることを特徴とする方法。
【請求項３９】
請求項３８に記載の方法において、前記ディスプレイ装置は、前記第１のソースとしての第１のバックライトと、前記第２のソースとしての第２のバックライトとを備えるＬＣＤディスプレイ装置であることを特徴とする方法。
【請求項４０】
請求項２５に記載の方法において、前記ディスプレイ装置は、ＬＣＤディスプレイ装置であり、前記白は、白のサブピクセルによって各ピクセルに追加されることを特徴とする方法。
【請求項４１】
請求項２５に記載の方法において、前記ディスプレイ装置は、ＬＣＤディスプレイ装置、ＬＥＤディスプレイ装置、ＯＬＥＤディスプレイ装置、プラズマディスプレイ装置及びＤＭＤプロジェクタの１つであることを特徴とする方法。
【請求項４２】
請求項２５に記載の方法において、前記ディスプレイ装置への電力を減少させる工程は、おおよそ前記基準レベルまで前記画像の前記輝度を低減させることを特徴とする方法。
【請求項４３】
請求項２５に記載の方法において、前記画像の前記色を回復する前記工程は、ＩＰＴ均一色相色空間で実行されることを特徴とする方法。
【請求項４４】
請求項２５に記載の方法において、前記三次元のルックアップテーブルの前記値は、人間の視覚系の視覚モデルを使用することによって決定されることを特徴とする方法。
【請求項４５】
請求項４４に記載の方法において、前記三次元のルックアップテーブルの前記値は、前記人間の視覚系の色彩順応を使用することによって決定されることを特徴とする方法。
【請求項４６】
請求項２５に記載の方法において、記憶色は、前記カラー画像に保持されることを特徴とする方法。
【請求項４７】
請求項２５に記載の方法において、前記画像の前記色を回復する工程は、前記ディスプレイ装置の白色点を色標準の白色点に補正する工程を含むことを特徴とする方法。